(57)【要約】【課題】連続読み取り機能を備える画像形成装置において、原稿の読取開始後に動作を止めてユーザーが手動で設定を変更する必要がなく、異なる設定で、読み取った複数の原稿を画像形成することができる画像形成装置を提供する。【解決手段】設定受付部１０２は、原稿読取部５による原稿の読み取りの前に、連続して読み取られる複数の原稿を構成するグループ毎に、画像形成に関する設定を予めユーザーから受け付ける。制御部１００は、設定受付部５が受け付けたグループ毎の設定に基づき、原稿読取部５により読み取られた複数の原稿画像の画像形成をグループ毎に画像形成部１２に行わせる。【選択図】図３
2015061300.tif 000002
【特許請求の範囲】
【請求項１】
複数の原稿を連続して読み取る原稿読取部と、
前記原稿読取部によって読み取られる原稿画像を画像形成する画像形成部と、
前記原稿読取部による原稿の読み取りの前に、連続して読み取られる前記複数の原稿を構成するグループ毎に、画像形成に関する設定を予めユーザーから受け付ける設定受付部と、
前記設定受付部が受け付けた前記グループ毎の設定に基づき、前記原稿読取部により読み取られた複数の原稿画像の画像形成を前記グループ毎に前記画像形成部に行わせる制御部と、を備える画像形成装置。
【請求項２】
前記制御部は、前記グループ間の区切りを示す情報を取得して、当該情報に基づき、前記グループ毎の設定を切り替えて行う画像形成を前記画像形成部に行わせる請求項１に記載の画像形成装置。
【請求項３】
前記原稿読取部により読み取られる複数の原稿のうち、予め定められた原稿を検出し、当該予め定められた原稿の位置を前記グループ間の区切りとして特定する区切り位置特定部を更に備える請求項２に記載の画像形成装置。
【請求項４】
前記設定受付部は、更に、前記原稿読取部による原稿の読み取りの前に、前記グループ間の区切りを示す前記情報を予めユーザーから受け付ける請求項２に記載の画像形成装置。
【請求項５】
前記設定は、複数の設定項目からなり、
前記原稿読取部により第１番目に読み取られる原稿を含む第１グループにおいて設定可能な前記設定事項の一部は、前記第１グループ以外のグループにおける設定で制限されている請求項１に記載の画像形成装置。
【請求項６】
前記設定は、複数の設定項目からなり、
前記グループ間において異なる設定がなされた前記設定項目について、前記制御部が前記設定を切り替えて行う画像形成を前記画像形成部に行わせる前に、ユーザーに前記設定項目が変更されていることを通知し、前記設定を変更して画像形成を行うか、前記設定を変更せず画像形成を行うか否かの指示をユーザーから受け付ける設定変更通知部を、更に備え、
前記制御部は、前記設定変更部が受け付けた前記指示に基づく画像形成を前記画像形成部に行わせる請求項１に記載の画像形成装置。
【発明の詳細な説明】
【技術分野】
【０００１】
本発明は、複数の原稿を連続して読み取り、読み取った複数の原稿画像を画像形成する画像形成装置に関する。
【背景技術】
【０００２】
複数の原稿を連続して読み取り、読み取った複数の原稿画像を画像形成する連続読み取り機能を備えた画像形成装置が登場している。この画像形成装置では、ユーザーが原稿を何度もセットする必要がなく、大量の原稿を一度にコピーすることができる。
【０００３】
特許文献１には、白紙原稿等の予め定められた原稿を区切りとして検出し、その区切りを検出した際に動作を停止して、ユーザーから画像形成に関する設定の変更を受け付ける画像形成装置が開示されている。この画像形成装置によれば、複数の原稿を連続して読み取り、異なる設定で、読み取った複数の原稿を画像形成することができる。
【先行技術文献】
【特許文献】
【０００４】
【特許文献１】特開２００５−１４２８６２号公報
【発明の概要】
【発明が解決しようとする課題】
【０００５】
しかしながら、上記の特許文献１に開示される画像形成装置は、原稿の区切りを検出した際に動作を停止し、ユーザーの設定の変更を受け付けた後に、再度動作を再開させるものにすぎない。このため、ユーザーが手動で設定を変更するという操作面の煩雑さがあり、ユーザー利便性を欠く。
【０００６】
本発明は、上記の事情に鑑みなされたものであり、連続読み取り機能を備える画像形成装置において、原稿の読取開始後に動作を止めてユーザーが手動で設定を変更する必要がなく、異なる設定で、読み取った複数の原稿を画像形成することができる画像形成装置を提供することを目的とする。
【課題を解決するための手段】
【０００７】
本発明の一局面にかかる画像形成装置は、複数の原稿を連続して読み取る原稿読取部と、前記原稿読取部によって読み取られる原稿画像を画像形成する画像形成部と、前記原稿読取部による原稿の読み取りの前に、連続して読み取られる前記複数の原稿を構成するグループ毎に、画像形成に関する設定を予めユーザーから受け付ける設定受付部と、前記設定受付部が受け付けた前記グループ毎の設定に基づき、前記原稿読取部により読み取られた複数の原稿画像の画像形成を前記グループ毎に前記画像形成部に行わせる制御部と、を備える画像形成装置である。
【発明の効果】
【０００８】
本発明によれば、原稿の読み取りの前に、連続して読み取られる複数の原稿を構成するグループ毎に、画像形成に関する設定を予めユーザーから受け付け、受け付けた設定に基づき、原稿画像を画像形成する。これにより、原稿の読取開始後に動作を止めてユーザーが手動で設定を変更する必要がなく、異なる設定で、読み取った複数の原稿を画像形成することができる。
【図面の簡単な説明】
【０００９】
【図１】本発明の一実施形態にかかる画像形成装置の構造を示す正面断面図である。
【図２】本発明の一実施形態にかかる画像形成装置の外観を示す斜視図である。
【図３】本発明の一実施形態にかかる画像形成装置の主要内部構成を概略的に示す機能ブロック図である。
【図４】本発明の一実施形態にかかる画像形成装置における設定受付の処理の流れを示すフローチャートである。
【図５】画像形成に関する設定を受け付けるための設定画面の一例を示す図である。
【図６】各グループの頁範囲を受け付けるための設定画面の一例を示す図である。
【図７】第１グループにおける設定を受け付けるための設定画面の一例を示す図である。
【図８】第２グループにおける設定を受け付けるための設定画面の一例を示す図である。
【図９】本発明の一実施形態にかかる画像形成装置における連続読取動作の処理の流れを示すフローチャートである。
【図１０】設定変更がなされている旨を通知する通知画面の一例を示す図である。
【図１１】変形例にかかる画像形成装置における連続読取動作の処理の流れを示すフローチャートである。
【発明を実施するための形態】
【００１０】
以下、本発明の一実施形態にかかる画像形成装置について図面を参照して説明する。図１は、本発明の一実施形態にかかる画像形成装置の構造を示す正面断面図である。図２は、本発明の一実施形態にかかる画像形成装置の外観を示す斜視図である。
【００１１】
図１に示すように、本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１２】
操作部４７は、画像形成装置１が実行可能な各種動作及び処理について、ユーザーから画像形成動作実行指示、原稿読取動作実行指示、画像形成に関する設定等の指示を受け付ける。図２に示すように、操作部４７は、表示部４７３及び複数の指示キー４７１を備える。
【００１３】
表示部４７３は、タッチパネル機能を有するＬＣＤ（Liquid Crystal Display）で構成されている。表示部４７３は、ＬＣＤ上にメニュー等を表示することで、対話的な操作環境をユーザーに提供する。
【００１４】
指示キー４７１は、例えば、メニューを呼び出すメニューキー、メニューを構成するＧＵＩのフォーカスを移動させる矢印キー、メニューを構成するＧＵＩに対して確定操作を行う決定キー、数値キー等を備え、表示部４７３に表示されるメニューに対する操作をユーザーから受け付ける。
【００１５】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１６】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部１２が、給紙部１４から給紙される記録媒体としての記録紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１７】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が、記録紙Ｐ上のトナー像を、熱圧着により記録紙Ｐに定着させる。定着処理の完了したカラー画像形成済みの記録紙Ｐは、排出トレイ１５１に排出される。
【００１８】
なお、画像形成装置１において、両面印刷を行う場合は、画像形成部１２より一方の面に画像が形成された記録紙Ｐを、排出ローラー対１５９にニップされた状態とした後、当該記録紙Ｐを排出ローラー対１５９によりスイッチバックさせて反転搬送路１９５に送り、搬送ローラー対１９により、上記ニップ部Ｎ及び定着部１３に対して記録紙Ｐの搬送方向上流域に再度搬送する。これにより、画像形成部１２により当該記録紙の他方の面に画像が形成される。
【００１９】
次に、画像形成装置１の電気的構成を説明する。図３は画像形成装置１の主要内部構成を概略的に示す機能ブロック図である。
【００２０】
画像形成装置１は、制御ユニット１０を備える。制御ユニット１０は、ＣＰＵ(Central Processing Unit)、ＲＡＭ、ＲＯＭ及び専用のハードウェア回路等から構成され、画像形成装置１の全体的な動作制御を司る。
【００２１】
原稿読取部５は、制御ユニット１０による制御の下、光照射部及びＣＣＤセンサー等を有する上記の読取機構１６３を備える。原稿読取部５は、光照射部により原稿を照射し、その反射光をＣＣＤセンサーで受光することにより、原稿から画像を読み取る。
【００２２】
画像処理部３１は、原稿読取部５で読み取られた画像の画像データを必要に応じて画像処理する。例えば、画像処理部３１は、原稿読取部５により読み取られた画像が画像形成部１２により画像形成された後の品質を向上させるために、シェーディング補正等の予め定められた画像処理を行う。
【００２３】
画像メモリ３２は、原稿読取部５による読取で得られた原稿画像のデータを一時的に記憶したり、画像形成部１２のプリント対象となるデータを一時的に保存する領域である。
【００２４】
画像形成部１２は、原稿読取部５で読み取られた原稿画像、ネットワーク接続されたコンピューター２００から受信した原稿画像の画像形成を行う。
【００２５】
ネットワークインターフェイス部９１は、ＬＡＮボード等の通信モジュールから構成され、当該ネットワークインターフェイス部９１に接続されたＬＡＮ等を介して、ローカルエリア内のコンピューター２００等と種々のデータの送受信を行う。
【００２６】
ＨＤＤ（ハードディスクドライブ）９２は、原稿読取部５によって読み取られた原稿画像等を記憶する大容量の記憶装置である。
【００２７】
制御ユニット１０は、制御部１００と、設定部１０１とを備えている。
【００２８】
制御部１００は、原稿読取部５、原稿給送部６、画像処理部３１、画像メモリ３２、画像形成部１２、操作部４７、ネットワークインターフェイス部９１、ＨＤＤ９２等と接続され、これら各部の駆動制御を行う。特に、制御部１００は、原稿読取部５を制御して、複数の原稿を連続して読み取らせるとともに、画像形成部１２を制御して、後述する設定部１０１により設定された設定に基づき、原稿読取部５により読み取られた複数の原稿画像の画像形成を実行させる。
【００２９】
設定部１０１は、設定受付部１０２と、設定変更通知部１０３と、区切り位置特定部１０４とを備えている。設定受付部１０２は、表示部４７３のＬＣＤ上にメニューを表示させるとともに、ユーザーによる入力部４７の操作に基づいて入力された、画像形成に関する設定の指示を受け付ける機能を有する。
【００３０】
具体的には、設定受付部１０２は、ユーザーによる入力部４７の操作に基づいて、原稿読取部５が読み取った複数の原稿を構成する各グループの頁範囲を受け付ける。そして、設定受付部１０２は、ユーザーによる入力部４７の操作に基づいて、上記の各グループに対する、用紙サイズ、カラー、拡大率／縮小率等の設定項目の設定の指示を受け付ける。設定受付部１０２は、ユーザーから受け付けた上記の内容を、画像形成に関する設定として記憶する。
【００３１】
設定変更通知部１０３は、グループ間において異なる設定がなされた設定項目について、画像形成を行う前に、ユーザーに設定項目が変更されていることを通知する機能を有する。また、設定通知確認部１０３は、ユーザーに設定項目が変更されていることを通知するとともに、ユーザーによる入力部４７の操作に基づいて入力された、設定を変更して画像形成を行うか、設定を変更せず画像形成を行うか否かの指示を受け付ける機能を有する。
【００３２】
なお、区切り位置特定部１０４については、後述する実施形態又は変形例で必要となる限りで備えられていればよい。
【００３３】
次に、上記の構成を備える画像形成装置１の動作について説明する。図４は、画像形成装置１における設定の受付処理の流れを示すフローチャートである。
【００３４】
図４に示すように、画像形成装置１の設定受付部１０２は、表示部４７３のＬＣＤに、画像形成に関する設定を受け付けるための設定画面を表示させる（ステップＳ１０）。設定受付部１０２は、例えば、図５に示す設定画面Ｄ１を表示させる。設定画面Ｄ１には、「設定の登録」ボタンｄ１２が設置されており、ユーザーが当該ボタンｄ１２を指示キー４７１により選択、又は、表示部４７３のタッチパネル機能を用いて選択すると、設定受付部１０２は、設定の登録の指示を受け付ける。
【００３５】
設定画面の表示後、設定受付部１０２は、ユーザーによる入力部４７の操作に基づいて、設定の登録の指示を受け付けたか否かを監視する（ステップＳ１１）。設定の登録の指示を受け付けた場合（ステップＳ１１においてＹＥＳ）、設定受付部１０２は、ユーザーによる入力部４７の操作に基づいて、連続して読み取られる複数の原稿からなる各グループの頁範囲の設定を受け付ける（ステップＳ１２）。
【００３６】
設定受付部１０２は、上記のステップＳ１２において、表示部４７３のＬＣＤに、例えば、図６に示す設定画面Ｄ２を表示させる。図６に示すように、設定画面Ｄ２には、数値入力欄ｄ２１〜ｄ２８が設置されており、ユーザーが入力部４７を操作することで当該数値入力欄ｄ２１〜ｄ２８に数字を入力すると、設定受付部１０２は、各グループの頁範囲を受け付ける。
【００３７】
なお、ユーザーが設定画面Ｄ２に設置された「グループを追加する」ボタンｄ３３を選択すると、設定受付部１０２は設定画面Ｄ２を変更する等の処理を行い、ユーザーが設定可能なグループの数を増やす。
【００３８】
各グループの頁範囲の入力を受け付けた後、設定受付部１０２は、ユーザーによる入力部４７の操作に基づいて、各グループの画像形成に関する設定を受け付ける（ステップＳ１３）。図６に示す設定画面Ｄ２に設けられた「設定」ボタンｄ２９〜ｄ３２がユーザーによる入力部４７の操作に基づいて選択された場合、設定受付部１０２は、設定可能な設定項目を表示した設定画面を、表示部４７３のＬＣＤに表示させる。設定受付部１０２は、第１頁から第１０頁からなる第１グループにおける設定画面として、図７に示す設定画面Ｄ３を表示させる。
【００３９】
図７に示すように、第１グループでは、例えば「頁集約」、「縮小／拡大」、「濃度」、「用紙選択」、「カラー選択」、「両面・分割」、「原稿の画質」、「ステープル」の８つの設定項目が設けられている。ユーザーによる入力部４７の操作に基づいて、ボタンｄ４１〜ｄ４８の各ボタンが選択されると、設定受付部１０２は各ボタンに対応した設定項目についての設定を受け付ける。
【００４０】
図８は、第２グループにおける設定画面Ｄ４を示す図である。図８に示すように、第２グループでは、例えば、「頁集約」、「縮小／拡大」、「濃度」、「用紙選択」、「カラー選択」、「両面・分割」、「原稿の画質」の設定項目が設けられている。ユーザーによる入力部４７の操作に基づいて、ボタンｄ４１〜ｄ４８の各ボタンが選択されると、設定受付部１０２は各ボタンに対応した設定項目についての設定を受け付ける。
【００４１】
また、設定受付部１０２は、第１グループから異なる設定がなされた設定項目に対して、画像形成動作時で設定が切り替わる前に設定項目が変更されていることを通知するか否かを決定する指示をユーザーによる入力部４７の操作に基づいて受け付ける。第２グループの設定時において、ユーザーによる入力部４７の操作に基づいて、第１グループとは異なる設定を受け付けた場合、設定受付部１０２は、設定画面Ｄ４に示されるボタンｄ５１〜ｄ５４を、表示部４７３のＬＣＤに表示させる。ユーザーによる入力部４７の操作に基づいて、このボタンｄ５１〜ｄ５４の各ボタンが選択されると、設定受付部１０２は、各設定項目に対して画像形成動作時で設定が切り替わる前に設定項目が変更されていることを通知するか否かを決定する指示を受け付ける。
【００４２】
なお、第２グループに対する設定では、第１グループにおいて設定可能な設定項目の一部が制限されている。複数の原稿を連続して読み取り、読み取った原稿画像を画像形成する場合において、その途中から設定を変更して異なる処理を行うことが不可能な場合があるからである。図８に示す例では、「ステープル」の設定項目が制限されている。
【００４３】
上記のステップＳ１０〜Ｓ１３において、ユーザーによる入力部４７の操作に基づいて設定の指示を受け付けた後、設定受付部１０２は、その受け付けた設定を記憶する（ステップＳ１４）。
【００４４】
以上が画像形成装置１における設定の受付処理についての説明である。続いて、図９を用いて、画像形成装置における連続読取動作について説明する。
【００４５】
図９は、画像形成装置１における連続読取動作の処理の流れを示すフローチャートである。図９に示すように、画像形成装置１の制御部１００は、ユーザーによる入力部４７の操作に基づいて、登録した設定で連続読取を開始する旨の指示を受け付けたか否かを監視する（ステップＳ２０）。
【００４６】
制御部１００は、ユーザーによる入力部４７の操作に基づいて、登録した設定で連続読取を開始する旨の指示を受け付けた場合（ステップＳ２０においてＹＥＳ）、原稿読取部５を制御して、登録した設定により指定された枚数の原稿の連続読み取りを実行させる（ステップＳ２１）。この読み取りにより得られた原稿画像のデータは、画像メモリ３２に記憶される。
【００４７】
原稿の連続読み取り後、制御部１００は、画像メモリ３２に記憶された原稿画像の画像形成を行う（ステップＳ２２〜ステップＳ２９）。
【００４８】
まず、制御部１００は、画像形成対象の原稿画像が属するグループを示すカウント値Ｎを１に設定する（ステップＳ２２）。
【００４９】
そして、制御部１００は、上記のカウント値Ｎと、登録された設定に示されている最後のグループを示す閾値Ｍとを比較する（ステップＳ２３）。上記のカウント値Ｎが閾値Ｍ以下の場合（ステップＳ２３においてＹＥＳ）、制御部１００はステップＳ２４の処理に移行する。
【００５０】
制御部１００は、登録された設定を参照して、第Ｎグループにおける設定と、第Ｎ−１グループにおける設定とを比較して、第Ｎグループにおける設定が、第Ｎ−１グループにおける設定から変更されたか否かを判定する（ステップＳ２４）。第Ｎグループにおける設定が、第Ｎ−１グループにおける設定から変更されていない場合（ステップＳ２４においてＮＯ）、制御部１００は、画像形成部１２を制御して、第Ｎグループにおける原稿画像を第Ｎグループの設定で画像形成させる（ステップＳ２５）。カウント値Ｎが１の場合、制御部１００は、ステップＳ２３における判定をＹＥＳとして、画像形成部１２を制御し、第１グループに属する全ての原稿画像を登録された設定に示されている第１グループの設定で画像形成させる。
【００５１】
第１グループに属する全ての原稿画像を画像形成させた後、制御部１００は、画像形成対象の原稿画像が属するグループを示すカウント値Ｎを１増加させ、次のグループに属する原稿画像を画像形成させる処理に移行する（ステップＳ２６）。
【００５２】
ステップＳ２６の後、上記のステップＳ２３の処理に戻る。ここで、上記のカウント値Ｎが閾値Ｍより大きくなった場合、（ステップＳ２３においてＮＯ）、制御部１００は、原稿画像の連続読取動作の処理を終える。
【００５３】
第Ｎグループにおける設定が、第Ｎ−１グループにおける設定から変更されている場合（ステップＳ２５においてＹＥＳ）、設定部１０１の設定変更通知部１０３は、登録された設定を参照して、設定が変更されていることを通知すべき旨の情報があるか否かを判定する（ステップＳ２７）。
【００５４】
登録された設定内に、設定が変更されていることを通知すべき旨の情報が存在しない場合（ステップＳ２７においてＮＯ）、既に説明したステップＳ２５の処理に移る。
【００５５】
登録された設定内に、設定が変更されていることを通知すべき旨の情報が存在する場合（ステップＳ２７においてＹＥＳ）、設定変更通知部１０３は、設定変更がなされている旨を通知する通知画面を、表示部４７３のＬＣＤに表示させる（ステップＳ２８）。
【００５６】
そして、設定受付部１０２は、ユーザーによる入力部４７の操作に基づいて、変更後の設定で画像形成を行うか、変更前の設定で画像形成を行うかの指示を受け付ける（ステップＳ２９）。
【００５７】
設定変更通知部１０３が、ユーザーによる入力部４７の操作に基づいて、変更後の設定で画像形成を行う旨の指示を受け付けた場合（ステップＳ２９においてＹＥＳ）、既に説明したステップＳ２５の処理に移る。
【００５８】
設定変更通知部１０３が、ユーザーによる入力部４７の操作に基づいて、変更前の設定で画像形成を行う旨の指示を受け付けた場合（ステップＳ２９においてＮＯ）、制御部１００は、画像形成部１２を制御して、第Ｎグループにおける原稿画像を第Ｎ−１グループの設定で画像形成させる（ステップＳ３０）。
【００５９】
図１０に、上記のステップＳ２８で表示させる通知画面の一例を示す。図１０に示すように、ユーザーによる入力部４７の操作に基づいて、通知画面Ｄ５に設置されたボタンｄ６１が選択されると、制御部１００は、画像形成部１２を制御して、変更後の設定で原稿画像を画像形成させる。また、ユーザーによる入力部４７の操作に基づいて、通知画面Ｄ５に設置されたボタンｄ６２が選択されると、制御部１００は、画像形成部１２を制御して、変更前の設定で原稿画像を画像形成させる。
【００６０】
以上説明したように、本実施の形態にかかる画像形成装置１では、設定受付部１０２が、原稿読取部５による原稿の読み取りの前に、連続して読み取られる複数の原稿を構成するグループ毎に、画像形成に関する設定を予めユーザーから受け付ける。そして、制御部１０１は、設定受付部１０２が受け付けたグループ毎の設定に基づき、原稿読取部５により読み取られた複数の原稿画像の画像形成をグループ毎に画像形成部１２に行わせる。これにより、原稿の読取開始後に動作を止めてユーザーが手動で設定を変更する必要がなく、異なる設定で、読み取った複数の原稿を連続した読取動作で画像形成することができる。
【００６１】
また、本実施の形態にかかる画像形成装置１では、設定変更通知部１０３が、グループ間において異なる設定がなされた設定項目について、画像形成部１２が設定を切り替えて画像形成を行う前に、ユーザーに設定項目が変更されていることを通知し、設定を変更して画像形成を行うか、設定を変更せず画像形成を行うか否かの指示をユーザーから受け付ける。このため、ユーザーが誤って設定の変更をしたことにより、原稿画像が望まない設定で画像形成されるという事態を避けることができる。
【００６２】
また、本実施の形態にかかる画像形成装置１では、原稿読取部５により第１番目に読み取られる原稿を含む第１グループにおいて設定可能な設定事項の一部が、第１グループ以外のグループにおける設定で制限されている。
【００６３】
ステープル等の処理は、画像形成装置の構造的に途中から設定を変更することができない。このため、単にユーザーが実行したい設定を順に並べて設定するだけでは、途中から設定を変更して画像形成することができない事態が発生し得る。これに対して、本実施の形態にかかる画像形成装置１では、第１グループ以外のグループにおける設定で、実行することができない設定項目を予め除いているため、途中から設定を変更して画像形成することができない事態が発生しない。また、ユーザーは実行することができない設定項目が存在することを意識せずに設定を行うことができる。
【００６４】
なお、本発明は上記の実施の形態の構成に限られず種々の変形が可能である。
【００６５】
上記の実施の形態では、設定受付部１０２が、原稿読取部５による原稿の読み取りの前に、ユーザーによる入力部４７の操作に基づいて、グループ間の区切りに関する情報を予め受け付け、そのグループ間の区切りに関する情報に基づき、グループ毎に設定された設定を切り替えて画像形成を行う場合を説明した。しかしながら、本発明は必ずしもこの場合に限定されない。
【００６６】
図１１は、変形例にかかる連続読取動作の処理の流れを示すフローチャートである。なお、図９のフローチャートに示す処理と同内容の処理については説明を省略する。
【００６７】
変形例にかかる画像形成装置は、区切り位置特定部１０４を備える（図３参照）。区切り位置特定部１０４は、原稿読取部５により読み取られる複数の原稿のうち、予め定められた原稿を検出し、当該予め定められた原稿の位置を前記グループ間の区切りとして特定する（ステップＳ４２）。ここで、予め定められた原稿とは、例えば、白紙原稿である。区切り位置特定部１０４は、１ページ当たりの白画素でない領域の割合を算出して、その割合があらかじめ定められた割合以下のものを白紙原稿として検出する。
【００６８】
制御部１００は、ステップＳ４２で特定した各グループの頁数に基づき、設定を切り替えて、画像形成部１２に原稿画像を画像形成させる（ステップＳ４３〜Ｓ５１）。
【００６９】
ユーザーは、原稿給送部６又は原稿載置ガラス１６１に原稿をセットする際に、白紙原稿を挿入することで、所望の位置で画像形成する際の設定を変更することができる。
【００７０】
なお、上記のグループ間の区切りとなる原稿は、予め定められたドットパターンが印字された原稿であるとしてもよい。
【００７１】
また、上記実施の形態で説明した手法の手順を記述したプログラムをメモリに記憶しておき、ＣＰＵなどがメモリからプログラムを読み出して、読み出したプログラムを実行することによって、上記の手法が実現されるようにしてもよい。さらには、当該手法の手順を記述したプログラムを記録媒体に格納して、頒布するようにしてもよい。
【符号の説明】
【００７２】
１      画像形成装置
５      原稿読取部
６      原稿給送部
１０    制御ユニット
１１    装置本体
１２    画像形成部
１３    定着部
１４    給紙部
３１    画像処理部
３２    画像メモリ
４７    操作部
９１    ネットワークインターフェイス部
１００  制御部
１０１  設定部
１０２  設定受付部
１０３  設定変更通知部
１０４  区切り位置特定部
１６１  原稿載置ガラス
１６３  読取機構
４７１  指示キー
４７３  表示部
【図１】
2015061300.tif 000003
【図２】
2015061300.tif 000004
【図３】
2015061300.tif 000005
【図４】
2015061300.tif 000006
【図５】
2015061300.tif 000007
【図６】
2015061300.tif 000008
【図９】
2015061300.tif 000009
【図１０】
2015061300.tif 000010
【図１１】
2015061300.tif 000011
【図７】
2015061300.tif 000012
【図８】
2015061300.tif 000013